Podtech/llm-jp-corpus-v4-ja_patent huggingface dataset:
(57)【要約】【課題】耳掃除において従来は綿棒などで取り残していた粉上の耳垢や湿って重い耳垢を外耳道内壁を傷つけずに安全に取る耳かきを提供する。【解決手段】耳かき本体又は挿入部分に低反発弾性フォームや軟質ポリウレタンフォームのような弾性、粘性を特徴とする素材を使用し外耳道に挿入する部分Ａ，Ａ´にスパイラルやスリット形状を用いて圧縮を容易にし従来の綿棒と同等の太さまで捩じりながら圧縮し外耳道に挿入する。挿入後外耳道内で低反発弾性フォームや軟質ポリウレタンフォームが復元して膨らむことで外耳道内壁に密着する。そして特性である粘性で耳垢を吸着し密着状態で耳かきをゆっくり引き抜くことにより低反発弾性フォームや軟質ポリウレタンフォームのような弾性素材が外耳道壁の耳垢を擦り取りスパイラルやスリットの谷Ｄに集積し耳垢を外耳道外に取り出す。【選択図】図１
2012148102.tif 000002
【特許請求の範囲】
【請求項１】
挿入部分が外耳道内で膨らみ外耳道に密着し耳垢を吸着することを特徴とした耳かき。
【請求項２】
請求項１記載の挿入部分をスパイラル又はスリット形状とした耳かき。
【請求項３】
スパイラル又はスリットの谷部分で耳垢を集積することを特徴とした請求項２記載の耳かき。
【請求項４】
本体又は挿入部分に低反発弾性フォームを利用した耳かき。
【請求項５】
本体又は挿入部分に軟質ポリウレタンフォームを利用した耳かき。
【発明の詳細な説明】
【技術分野】
【０００１】本発明は、軟質素材を用いた耳かきに関するものである。
【背景技術】
【０００２】従来の耳掃除は綿棒又はスプーン形状のシリコンや金属や竹製の素材で堅い物で掻き出したりすくったり行うのが主である。【０００３】軟質ポリウレタンフォームや低反発弾性フォームなどの特徴である弾性と粘性を背景とする。【０００４】［０００３］記載の素材は加工技術やプラスチック又は金型にて製造する精度の高さがある。
【先行技術文献】
【非特許文献】
【０００５】［０００３］記載内容は日本ウレタン工業協会ホームページＱ＆Ａ「低反発弾性軟質ポリウレタンフォームとは？」を参考とする。【０００６】［０００４］記載内容は日本ウレタン工業協会ホームページＱ＆Ａ「工場では低反発弾性フォームはどのような方法で製造するのですか？」を参考とする。
【発明の概要】
【発明が解決しようとする課題】
【０００７】従来の耳掃除は綿棒や金属、シリコン、竹製などの堅い物で外耳道壁に沿って耳垢を掻き出す為に外耳道内を数回往復することになり外耳道壁を傷つけることがありそれを防ぐことを課題とする。【０００８】従来の耳掃除では取り残す乾タイプの粉上の耳垢や湿タイプの重い耳垢を取ることである。
【課題を解決するための手段】
【０００９】外耳道壁にやさしい軟質素材で弾性、粘性、即ち圧縮ができ圧縮後復元力で膨らみ、吸着力の特性を持つ素材を外耳道挿入部分に利用する耳かきとする。【００１０】［０００９］記載の項目を満たしていると現在考えられるのは低反発弾性フォームと軟質ポリウレタンフォームである。【００１１】［０００９］［００１０］記載の素材の外耳道挿入部分にスパイラル又はスリットを用いて圧縮を容易にする。
【発明の効果】
【００１１】低反発弾性フォームや軟質ポリウレタンフォームのような弾性、粘性を特徴とする素材を圧縮して外耳道に挿入し挿入部分が復元力で膨らむことによって外耳道壁に密着して粘性の特性で粉状の耳垢などを吸着するので従来の掻き出す往復動作が無く外耳道壁を傷つけることがない。また外耳道壁に密着した状態でゆっくりと引き抜くことにより低反発弾性フォームや軟質ポリウレタンフォームのような弾性素材が外耳道壁の乾湿両方の耳垢を擦り取りスパイラルやスリットの谷Ｄに集積し耳垢を取ることができる。
【図面の簡単な説明】
【００１２】
【図１】側面図、正面図
【図２】使用時断面圧縮後挿入した直後の状態
【図３】使用時断面挿入後復元した状態
【発明を実施するための形態】
【００１３】低反発弾性フォーム又は軟質ポリウレタンフォームなどの弾性、粘性を持つ素材の全体を円筒状Ｃ、Ｃ´としこのときＣ，Ｃ´の太さは外耳道内径よりも若干太いものとする。挿入部分Ａ、Ａ´は捩じりの圧縮が容易になるようにスパイラル又はスリット形状としその谷部分Ｄで耳垢を集積する。また耳垢の有無を確認できるように全体を黒色で着色する。
【実施例】
【００１４】片方の手の指で後方の持ち手部分Ｂを持ち、もう片方の手の人差し指、中指、親指でつまむように挿入部分Ａ、Ａ´の先端を持ち先端を細くするように圧力を加えて、持ち手部分Ｂの指で本体を回転させて挿入部分Ａ，Ａ´に捻りの圧縮を加えて挿入部分Ａ、Ａ´を外耳道内に挿入できる太さにする、このときの太さは既存の綿棒と同等の太さが理想である。理想の太さになった本体を図２のように通常の耳かき行為で挿入する深さまで挿入部分Ａ，Ａ´を挿入し低反発弾性フォーム又は軟質ポリウレタンフォームなどの弾性、粘性を持つ素材が復元する図３まで待つ。外耳道内で復元による膨らみを感じ外耳道壁に程よい密着を感じたらＦ方向にその状態で引き抜くかゆっくりと回転させながら引き抜く。
【符号の説明】
【００１５】Ａ  Ａ´  挿入部分
Ｂ  持ち手部分
Ｃ  Ｃ´  太さ
Ｄ  谷部分
Ｅ  挿入方向
Ｆ  引き抜き方向
【図１】
2012148102.tif 000003
【図２】
2012148102.tif 000004
【図３】
2012148102.tif 000005
(57)【要約】      （修正有）【課題】つまづきを防ぐように足の上げ下げがスムーズになるよう歩行を助ける足上げ歩行補助器を提供する【解決手段】輪状にした２つのゴムベルトを金具で連結する。２つのゴムベルトは、１つは肩用１つは足かけ用とし、それぞれに調節金具をとりつけ身長に合わせて長さを変えられるようにする。長さを調節できる肩用ベルト７、足かけ用ベルト２を連結させ、足用ベルトに足の甲を固定させる部品６をつけたことを特徴とする足上げ歩行補助器【選択図】図１
2012148045.tif 000002
【特許請求の範囲】
【請求項１】
長さを調節できる輪状の肩用ベルトに連結金具を介して足用ベルトを連結させ足用ベルトには足の甲を固定させる固定具をとりつけたことを特徴とする足上歩行補助器。
【発明の詳細な説明】
【技術分野】
【０００１】本発明は足上げ歩行器に関するものである。
【背景技術】
【０００２】普段はつえを使用している。また最近では歩行を助ける着圧ソックスも市販されている。
【先行技術分献】
【０００３】  特に調べておりません。
【発明の概要】
【発明が解決しようとする課題】
【０００４】  つえを使用しているが、自分では足を上げているつもりでも上がっておらず、つまづきが多くなってきた。本発明はこの問題点を解決するためになされたものである。
【課題を解決するための手段】
【０００５】  輪状にした２つのゴムベルトを金具で連結する。２つのゴムベルトは、１つは肩用１つは足かけ用とし、それぞれに調節金具をとりつけ身長に合わせて長さを変えられるようにする。足かけ用ベルトには止め具をつけ、足の甲がずれないようにする。
【発明の効果】
【０００６】  ゴムの伸縮で足の上げ下げがスムーズになる。ズボンの下に装着できるので見た目もすっきりする。
【図面の簡単な説明】
【０００７】
【図１】本発明の斜視図
【図２】本発明の使用状態図
【発明を実施するための形態】
【０００８】以下、本発明の実施の形態について説明する。
（イ）肩用ベルト（１）、足かけ用ベルト（２）はそれぞれに調節金具（３）、（４）をつけておく。
（ロ）肩用ベルト（１）、足かけ用ベルト（２）を連結金具（６）でつなぐ。
（ハ）足かけ用ベルト（２）に止め具（５）を取りつける。
（ニ）肩用ベルト（１）に肩あて（７）を取りつける。
本発明は以上のような構成で、これを使用する時は足かけ用ベルト（２）を使用したい方の足にかけ止め具（５）で足の甲をぴったり固定させる。肩用ベルト（１）を反対側の肩に斜めがけする。調節金具（３）（４）で肩用ベルト（１）足かけ用ベルト（２）を微調整する。
【符号の説明】
【０００９】１  肩用ベルト
２  足かけ用ベルト
３  調節金具
４  調節金具
５  止め具
６  連結金具
７  肩あて
【図１】
2012148045.tif 000003
【図２】
2012148045.tif 000004
(57)【要約】【課題】従来の杖は高齢者や身体の不自由な人が側に置く時など倒れるという問題があった。靴を脱いだり履いたり出来る三股靴べら付きスタンドで杖を何処でも立てて置けることが出来る三股靴べら付き杖スタンドを提供する。【解決手段】杖固定具本体（６）を弾力性のある部材で成型し、脚部（４）（８）と靴べらの下部に三股（３）を設けたことを特徴とする三股靴べら付き杖スタンドである。【選択図】図１
2012148043.tif 000002
【特許請求の範囲】
【請求項１】
杖固定具本体（６）を弾力性のある部材で成型し、脚部（４）（８）と靴べらの下部に三股（３）を設けた三股靴べら付き杖スタンド。
【発明の詳細な説明】
【技術分野】
【０００１】  この発明は、靴を脱いだり履いたり出来る三股靴べら付きスタンドで杖を何処でも立てて置くことが出来る三股靴べら付き杖スタンドに関するものである。
【背景技術】
【０００２】  従来、杖を立てかける場合は、杖の上部に市販品のプラスチック板の付いた物や杖とスタンドをロック螺子で固定したり、杖にストラップを取りつけた挟み部でパイプ物やテーブル、椅子などに取り付けていた。
【先行技術文献】
【０００３】
【特許文献１】  特開  ２００６−１１０３４６号公報
【特許文献２】  特開  ２００６−８１８３９号公報
【発明の概要】
【発明が解決しようとする課題】
【０００４】  これには、次のような欠点があった。
従来の杖スタンドには、杖とスタンドをロック螺子で固定したり、杖にストラップに挟む器具が付いた物で高齢者や身体の不自由な人には握力がなく操作が不便であった。
本発明は、この欠点を解決するためになされたものである。
【課題を解決するための手段】
【０００５】  杖固定具（６）を弾力性のある部材で成型し、（６）の先端は杖差込口（５）を設ける。杖支え脚（４）と靴べら（２）の先端は靴脱ぎ用に三股（３）を設ける。
本発明は、以上の構成よりなる三股靴べら付き杖スタンドである。
【発明の効果】
【０００６】  杖が各種三脚で固定されているために、テーブルやカウンター、トイレ、買い物のレジ周り、室外の公園や道路や坂道などで両手を使いたい時など近くに固定するものが無くても杖を立てる事が出来る。また高齢者や身体の不自由な人等が靴の着脱が立ったままで出来る。
【図面の簡単な説明】
【０００７】
【図１】本発明の使用状態をあらわした側面図である。
【図２】本発明の平面図である。
【図３】本発明の使用状態をあらわした側面図である。
【図４】本発明の平面図である。
【発明を実施するための形態】
【０００８】  以下、本発明の実施例について説明する。
杖差込口（５）つき杖固定具（６）を弾力性のある部材で成型し、脚部（４）（８）と靴べら（２）の下部に三股（３）を設ける。
本発明は以上のような構造でこれを使用するときは、
杖固定具本体（６）の杖差込口（５）を杖（１）に押し当てると部材の弾力によって（５）が開くので杖に装着させる。
使用するときは、歩行時には（６）を上部にスライドさせて立てる場合は（６）を下部にスライドさせる。
立てる場合は（６）を下部にスライドさせる。（４）（８）（２）が三方に固定して開いており三脚となり支持が安定する。
高齢者や身体の不自由な人が靴の着脱する場合は（６）を下部にスライドさせて立ったままで使用できる。
【符号の説明】
【０００９】１          杖
２          靴べら
３          三股
４          脚
５          杖差込口
６          杖固定具
７          ゴムチツプ
８          螺旋状スチル脚
９          支えゴム
【図１】
2012148043.tif 000003
【図２】
2012148043.tif 000004
【図３】
2012148043.tif 000005
【図４】
2012148043.tif 000006
(57)【要約】【課題】消えかけているカーテンの襞を元の美しい状態の襞に再生出来るハンデイー形状アイロンを提供する。【解決手段】１００Ｖの電源で作動するスチーム発生装置（１）とハンデイーアイロン（２）を組み合わせ１６０℃以上の蒸気を吊り下げられた状態のカーテン（１９）に噴射し消えかけているカーテンの襞を元の状態の襞に再生する。【選択図】図１
2012148044.tif 000002
【特許請求の範囲】
【請求項１】
スチーム発生装置（１）で一定温度まで上げられた蒸気をハンデイアイロン（２）で１６０℃以上まで上昇させて吊り下げられた状態のカーテン（１９）に噴射し、数年使われた為に消えかけていた襞を再生したり、梱包時に出来た折り皺を無くす事を特徴とするハンデイ形状アイロンである。
【発明の詳細な説明】
【技術分野】
【０００１】この発明は、数年間吊り下げて使用されていた為消えかかっているカーテンの襞の再生及び新規に納品されたカーテンが箱より取り出された時に付いている折り皺を無くし誰もが簡単に元の美しい襞を復元出来る様に考案されたハンデイー形状アイロンに関するものである。
【背景技術】
【０００２】従来、縫製工場で製造されたカーテンに襞を付ける際には大きなスチーム設備が必要だった、又、工場で製造されたカーテンを折り畳んで出荷後、発注者の手元に届いた時には折り皺が付いていて美しくなくこれを修正する術が無かった。
【発明の開示】
【発明が解決しようとする課題】
【０００３】縫製工場でカーテンの襞を作成する場合大きなスチーム設備が必要であった。【０００４】また、出荷時梱包する為発注者の手元に届き開封した時カーテンには折り皺が付きカーテンを設置した時、本来カーテンの持つ美しさがなかった。【０００５】また、数年間カーテンを使用した場合本来の襞が消えかけていて本来カーテンが持つ美しさが損なわれていた。本発明は以上の様な欠点を無くす為になされたものである。
【課題を解決するための手段】
【０００６】１００Ｖの電源で作動するスチーム発生装置（１）とハンデイーアイロン（２）を組み合わせたカーテン（１９）の襞再生装置器具である。【０００７】また、ハンデイーアイロン（２）の作業をより円滑にする為に携帯型プリーツクリップ（３）でカーテン（１９）に緊張状態を与えておく。【０００８】また、ハンデイーアイロン（２）にカーテンの襞を再生する為蒸気の温度を１６０℃以上に再加熱して発生させるヒーター（１０）が組み込まれている。【０００９】また、ハンデイーアイロン（２）は取り替え可能で別注により他の布製品の形体に合わせて製作することにより種々の縫製品に使用する事が出来る。
【発明の効果】
【００１０】数年間使用された為に消えかけているカーテンの襞を吊り下げて使用されている状態のままで、ハンデイーアイロンの先端から噴射させる１６０℃以上の蒸気により元の美しい襞に再生する事が出来る。【００１１】また、出荷時梱包されていた為に付いていた折り皺を無くし美しい状態で使用する事が出来る。
【発明を実施するための最良の形態】
【００１２】以下本発明を実施す為の最良の形態について説明する。
水を１００Ｖの電源で水蒸気にする為のスチーム発生装置（１）で一定の温度まで上昇させコントロールパネル（１８）の温度計で確認後フットペダル（４）でハンデイーアイロン（２）に蒸気を送りさらにハンデイーアイロン（２）のヒータースイッチ（６）で１６０℃以上まで蒸気の温度を上げ携帯プリーツクリップ（３）で緊張状態になったカーテンに噴射して襞を再生させる。
【図面の簡単な説明】
【００１３】
【図１】本発明の構成図である。
【図２】ハンデイーアイロンの斜視図である。
【図３】ハンデイーアイロンの形態を示すものであって、（ａ）は平面図  （ｂ）は側面図である。
【図４】ハンデイーアイロンの正面図である。
【図５】スチーム発生装置の形態を示すものであって、（ａ）は正面図。（ｂ）は側面図である。
【図６】スチーム発生装置の内部装置構成図である。
【図７】携帯プリーツクリップの形態を示すものであって、（ａ）は平面図  （ｂ）は側面図である。
【図８】携帯プリーツクリップの斜視図である。
【図９】本発明の使用状態の一例を示す図である。
【符号の説明】
【００１４】１    スチーム発生装置            ２    ハンデイーアイロン
３    携帯プリーツクリップ本体    ４    フットペダル
５    蒸気通過パイプ              ６    ヒータースイッチ
７    蒸気噴射孔                  ８    カーテンサイドガード
９    角度変換レバー              １０  加熱ヒーター
１１  水タンク                    １２  バルブ（Ａ）
１３  バルブ（Ｂ）                １４  圧力モーター
１５  ボイラー                    １６  クリップ作動部
１７  プラグ                      １８  コントロールパネル
１９  カーテン
【図１】
2012148044.tif 000003
【図２】
2012148044.tif 000004
【図３】
2012148044.tif 000005
【図４】
2012148044.tif 000006
【図５】
2012148044.tif 000007
【図６】
2012148044.tif 000008
【図７】
2012148044.tif 000009
【図８】
2012148044.tif 000010
【図９】
2012148044.tif 000011
(57)【要約】      （修正有）【課題】洗濯物を取り出す際の手間を減らせる洗濯網を提供する。【解決手段】フックの様なものを付けた網２を槽１に取り付けて洗濯を行い、洗濯終了後は網２を洗濯籠として用いる。【選択図】図１
2012148037.tif 000002
【特許請求の範囲】
【請求項１】
洗濯物が残さず取れる網。
【請求項２】
洗濯籠の代わりになる。
【発明の詳細な説明】
【発明の詳細な説明】
【技術分野】
【０００１】この発明は、洗濯物を取り出す際の手間を減らす。
【背景技術】
【０００２】この様な発明はまだない。
【発明が解決しようとする課題】
【０００３】［請求項１］
【課題を解決する手段】
【０００４】（イ）洗濯機の槽に合う様な網を槽に取り付ける。
（ロ）網が落ちないようにフックの様なものを付けて槽から取り外しが可能にする。
（ハ）槽に取り付けた網を籠として使う。
【０００５】この発明の実施の形態を、述べると、洗濯機に取り付けた網は残さず洗濯物を取り出して籠としても使える。
【０００６】洗濯の手間を取り除く。
【図面の簡単な説明】１→網
２→槽
2012148037.tif 000003
【手続補正書】
【提出日】平成24年3月29日(2012.3.29)
【手続補正２】
【補正対象書類名】明細書
【補正対象項目名】全文
【補正方法】変更
【補正の内容】
【発明の詳細な説明】
【技術分野】
【０００１】この発明は、洗濯物を取り出す際の手間を減らす。
【背景技術】
【０００２】このような発明はまだない。
【発明が解決しようとする課題】
【０００３】  ［請求項１］
【解決する手段】
【０００４】（イ）洗濯機の槽に合う様な網を槽に取り付ける。
（ロ）網が落ちないようにフックの様なものを付けて槽から取り外しが可能にする。
（ハ）槽に取り付けた網を籠として使う。
【０００５】この発想の実施の形態を、述べると、洗濯機に取り付けた網は残さず洗濯物を取り出して籠としても使える。
【０００６】洗濯の手間を取り除く。
【図面の簡単な説明】
【０００７】
【図１】  洗濯槽と洗濯網を外した際の図
【符号の説明】
【０００８】１→網
２→槽
【手続補正３】
【補正対象書類名】図面
【補正対象項目名】全図
【補正方法】変更
【補正の内容】
【図１】
2012148037.tif 000004
(57)【要約】【課題】洗濯物を屋外に干す場合、隣接する洗濯物の両部を挟み連繋し、風に揺れても周囲の他の物に絡み付いたり落下するのを防止する洗濯鋏みを提供する。【解決手段】  バネを嵌入した関節部を中間として、一方の支軸の先端に左右に突出状に形成した鋏み部を設け、該挟み部で左右をはさみ両間を連繋することを特徴とする洗濯鋏み。【選択図】図１
2012148040.tif 000002
【特許請求の範囲】
【請求項１】
バネを嵌入した関節部を中間として、一方の支軸の先端に左右に突出状に形成した挟み部を設け、該挟み部で左右を挟み両間を連繋するのを特徴とする洗濯挟み。
【発明の詳細な説明】
【記述分野】
【０００１】  本発明は、洗濯物などを干す時に、該洗濯物の落下を防止するために挟み止める洗濯挟みに関するものである。
【背景技術】
【０００２】  従来、洗濯物を干すとき、該洗濯物が干し具からの落下を防止するため挟み止め、又、小物干しハンガーなどに干す場合は、すでに取り付けている鋏み具によって吊り下げていた。
【発明の開示】
【発明が解決しようとする課題】
【０００３】  そのため、次のような問題点があった。
洗濯物の落下を防止するために多数箇所を挟み止め、乾燥後それを全て外し取らなければ洗濯物は外せない。したがって、挟むときも外すときも面倒な手間と時間がかかる。
又、干し場が屋外の場合は、洗濯物が干し具から垂下した部分は、風に揺れると周囲の他の物に絡み付くことが多々あり、その部分は乾き難く、乾燥後は絡み付いているのを解き外さないと洗濯物は外せない。そのため、厄介で時間がかかり急ぐときは煩わしい。
本発明は以上の問題点を解決しようとするものである。
【課題を解決するための手段】
【０００４】  バネを嵌入した関節部を中間として、一方の支軸の先端に左右に突出状に形成した鋏み部を設け、該挟み部で左右を挟み両間を連繋する。以上を特徴とする洗濯鋏みである。
【発明の効果】
【０００５】  本発明は、１個で左右の物を挟めるため、洗濯物が多数の場合でも少数で挟み止めることが出来る。そのため、手作業による挟んだり外したりの手間も時間も減少する。
【発明を実施するための最良の形態】
【０００６】以下、本発明の実施の形態を説明する。
（イ）関節部（１）はバネ（２）を嵌入して設ける。
（ロ）関節部（１）を中間とした一方に、支軸（３）の先端に左右に突出状に形成した鋏み部（４）を設ける。
（ハ）他方に鋏み部を開閉する摘み部（５）を設ける。
本発明は、以上の構成で成っている。
本発明を使用するとき、上記の洗濯鋏み１個で隣接する洗濯物の左右の両部を挟む、そのため両間は連繋状になる。又、該挟み部は先端だけでも挟める。したがって、多数干しても少ない個数でそれぞれ互いに左右を挟む。そのため、洗濯物は連繋していて落下を防止する。そして、垂下した洗濯物が風に揺れても、それぞれが別個に揺れ動くように大きく揺れないため周囲の他の物には容易に絡み付かない。又、ハンガーに干した前開きの衣類なども、左右の前端を挟み繋いでおけば外れ落ちない。この結果、洗濯鋏を使用するときの手作業も減少して作業も速やかになる。
【図面の簡単な説明】
【０００７】
【図１】本発明の横斜視図
【図２】本発明の使用図
【符号の説明】
【０００８】１．関節部
２．バネ
３．支軸
４．鋏み部
５．摘み部
６．ハンガー
７．洗濯物
８．洗濯鋏み
【図１】
2012148040.tif 000003
【図２】
2012148040.tif 000004
(57)【要約】【課題】  大型で高価な各種マシーン等に代わって、安価で簡易的な器具一つによって、筋肉部位に適した主だった各種の筋肉トレーニングが行えるものとする。【解決手段】  安全カバーパッド内の強力コイルバネの両端より、伸縮自在の左アームと右アームを伸ばし、その両端に取っ手を設ける。その本発明の筋肉運動器具によって、上半身７箇所、約２３種ほどのエクササイズを行うことが出来、中央部コイルバネを交換式にするなら、負荷を高くすることも出来る。【選択図】図１
2012148038.tif 000002
【特許請求の範囲】
安全カバーパット内の負荷用コイルバネの両端に、伸縮自在の左アームと右アームを設け、その双方両端に取っ手を設けた筋肉運動の器具。
【発明の詳細な説明】
【技術分野】
【０００１】  本発明は、各筋肉部位をトレーニング出来る簡易的運動器具に関するものである。
【発明の概要】
【発明が解決しようとする課題】
【０００２】  本発明は、大型且つ高価なマシーンに代わって、上半身の主だった筋肉部位数カ所を、安価な一本の器具で、マッスル・トレーニングが出来るようにする。
【課題を解決する手段】
【０００３】  図１に示すよう、皮膚や衣類を挟み込まないいための安全カバーパッド（２）内のコイルバネ（１）の両端より、使用する人の腕の長さに対応するための、伸縮自在な左アーム（３）と、右アーム（４）を伸ばし、その両端に左取っ手（５）と右取っ手（６）を設ける。
【発明の効果】
【０００４】  上述の本発明の効果を各図によって説明する。
図２−左右伸縮自在アーム長さを、使用する個人の腕長さの都合によって具合良く調節し、次にバネ内蔵の安全カバーパッド部を首後部下方にあて、取っ手双方を胸の前方で近づけ合うことによって、バネ反発を負荷とするチェスト・バタフライを繰り返し、＜大胸筋＞のエクササイズ効果を得る。
【０００５】  図３−安全カバーパッド部を首後部に置き、両ひじを下方位置にキープしながら、左右アームの取っ手を腹部前まで引くことによって、バネ反発を負荷とするラット・プルを繰り返えし、＜広背筋＞のエクササイズ効果を得る。
【０００６】  図４−安全カバーパッド部をあご下にあて、そのまま取っ手双方を肩の上方に上げることによって、バネ反発を負荷とするショルダー・プレスを繰り返えし、＜肩部三角筋＞のエクササイズ効果を得る。
【０００７】  図５−安全カバーパッドを片足大腿部ひざ寄り裏にあて、ひじを下げたまま前腕のみで取っ手双方を引き上げることによって、バネ反発を負荷とするバイセップス・カールを繰り返えし、＜上腕二頭筋＞のエクササイズ効果を得る。
【０００８】  図６−伸縮自在アームを調整し、やや短めにした本発明を両足の間に立てるよう、片方の手で安全カバーパッド部下方を握り、一方の腕のひじを９０度ほどに曲げたまま、その手のひらを上方の取っ手上部にあて、そのまま上部アームを前方に倒しながらひじを伸ばしきることによって、バネ反発を負荷とするトライセップス・エクステンションを繰り返えし、＜上腕三頭筋＞のエクササイズ効果を得る。
【０００９】  図７−安全カバーパッド部を首後部下方に置き、腹部を内側に回しながら、取っ手片方のみを胸の前方下に押し下げることによって、バネ反発を負荷とするアブドミナル・ツイスティングを繰り返えし、＜斜腹筋＞のエクササイズ効果を得る。
【図面の簡単な説明】
【００１０】
【図１】中央部を一部断面で示す本発明の正面図
【図２】〜
【図７】本発明の効果を示す使用実施図
【符号の説明】
【００１１】１  コイルバネ
２  安全カバーパッド
３  伸縮自在左アーム
４  伸縮自在右アーム
５  左取っ手
６  右取っ手
【図１】
2012148038.tif 000003
【図２】
2012148038.tif 000004
【図３】
2012148038.tif 000005
【図４】
2012148038.tif 000006
【図５】
2012148038.tif 000007
【図６】
2012148038.tif 000008
【図７】
2012148038.tif 000009
(57)【要約】【課題】  洋タンスの外という非密閉空間に吊るされた衣服にも適応して防虫効果を発揮する防虫剤容器を提供する。従来は集団対応型であり、本発明は個別対応型である点が大きく異なる。【解決手段】  蓋付きのバスケット型容器を極く小さく薄く作り、衣服をすべてのポケットに入るようにした。吊紐を付け吊下げ式でも使える。磁石も付けボタン付けに即対応。【選択図】図１
2012148819.tif 000002
【特許請求の範囲】
【請求項１】
衣服のポケットに入れられる、小さく扁平な容器の本体（１）に又は、蓋（２）に通気孔（３）を設け、蓋（２）には磁石（５）を装着し、通気孔（３）を介して吊紐（４）を通して成る防虫芳香剤容器。
【発明の詳細な説明】
【技術分野】
【０００１】  この発明は、衣服のポケットに入る程に、バスケット型の容器を小さく扁平化したもので、吊紐により吊下げ式でも使用できる又、蓋には磁石を付けた、防虫や芳香剤などの容器に関するものである。
【技術背景】
【０００２】  従来の防虫剤容器は、洋タンスの中に入れて使うものであった。その際は衣服相互間に一定の隙間を作っておくこと、との注意書きがある。さもないと防虫効果が薄れる。
【先行技術文献】
【０００３】
【発明の概要】
【発明が解決しようとする課題】
【０００４】  このように、これまではタンスの中での使用が大前提であり、その際の注意が示されているのみで、タンスの外という非密閉空間での使用は想定されてはいず、壁などに長期間吊るされた衣服、ズボン折重ね式ハンガーや２段上下式の回転ハンガーに密着的に掛けられた衣服などには、対応し切れていない現況にある。
本発明は、この問題点を解消するためになされたものである。
【発明を解決するための手段】
【０００５】  容器の本体（１）を衣服のポケットに入る程に小さく又扁平に作り、蓋（２）と組合せる。何れか又は双方に通気孔（３）をあけ、吊紐（４）を通す。又、蓋（２）の裏に磁石（５）を装着する。
本発明は、以上の構成より成るポケット収容式の防虫剤や芳香剤などの容器である。
【発明の効果】
【０００６】  形が薄くて小さいから衣服の表や裏のすべてのポケットに入れられ、中味の薬剤が通気孔（３）から蒸散、流出、ポケットから衣服全体へと防虫成分が行き渡る。従って、タンスの中に衣服を入れる時、これまでのように衣服相互間の隙間は余り考慮しなくても良くタンスの収容力が向上する。ポケットのないセーター類では、これをハンガーに掛ければよく、吊紐（４）があるので図（２）に示すように、吊下げ式でも使うことができる。
壁などに長期間吊るす衣服には、ポケットがあればポケットに入れて、ない場合は吊紐（４）をハンガーにくくり付けて使えばよく、ポケットと吊下げの共用も勿論できる。
ズボン折重ね式や上下２段式の回転式ハンガーなどの衣服にも、同じくポケット式や併用式で対応可能である。
以上、換言すれば、衣服の個別防虫が実現したのである。更に、蓋（２）に磁石（５）を付けたので、裁縫針を付着し安全、安心な持運びを実現することが可能となり、外出時のボタンの欠落や衣服のほころびにすぐ対処できる便利さを提供できることとなった。
これらの効果は、防虫剤だけでなく、芳香剤や消臭剤利用の場合でも同様であり、例えば、コーヒーの粉末を入れて使用した場合には、気分爽快となり安全運転が期待される。
【図面の簡単な説明】
【０００７】
【図１】  本発明による容器の斜視図である。
【図２】  本発明による容器の使用状態を表した図である。
【発明を実施するための形態】
【０００８】  以下、本発明の実施例について詳明する。
衣服のポケットに入る程に小さく扁平な容器の本体（１）に又は蓋（２）に、通気孔（３）を設け、蓋（２）には磁石（５）を装着、通気孔（３）を介して吊紐（４）を通す。
本発明は以上のような構造で、これを使用する時は、
防虫剤や芳香剤などを容器の本体（１）に入れ蓋（２）をして、そのまま目的の衣服のポケットのすべて又は一部を残して、入れればよい。吊るす期間により加減すればよい。ポケットがない時は、その衣服をハンガーに吊るし  図（２）に示すように、ハンガーから吊紐（４）を使って利用することができる。
尚、容器の外形は小型扁平でありさへすればよく、楕円型、多角形型でも差支へはない。素材には、樹脂が適している。
【符号の説明】
【０００９】  １、本体        ２、蓋        ３、通気孔        ４、吊紐
５、磁石        ６、ハンガー
【図１】
2012148819.tif 000003
【図２】
2012148819.tif 000004
(57)【要約】【課題】ランナーがランニング中に携帯する給水ボトルの中身の液体が波打つことを抑制し、取り外して洗浄することができる携帯給水ボトル内セパレーターを提供する。【解決手段】携帯給水ボトルの内部へ取り外し式セパレーターを装着し、給水ボトルの揺れに対して縦と横仕切りがボトル内部の液体の波打を抑制し、給水時の効率よい流れだしのために、各間仕切り面へ液体の通り道の穴を設けており、使用後は取り外して洗浄し再利用することが可能。【選択図】図１
2012148803.tif 000002
【特許請求の範囲】
【請求項１】
携帯給水ボトルの内部へ装着し、給水ボトルの揺れに対して、ボトル内部の液体の波打を抑制するために仕切りを設けた取り外し式携帯給水ボトル内セパレーター。
【発明の詳細な説明】
【技術分野】
【０００１】
本発明は、ランナーが携帯する給水ボトルの中の液体が、ランニング中に波打つことを抑制し、不快な振動を軽減するものである。
【背景技術】
【０００２】
昨今の健康ブームからランニングを日常生活に定期適に取り入れている方が多くなった。
【０００３】
その中には熱中症予防などでランニング中に水分補給ができるように給水ボトルを携帯するランナーが多くなっている。
【先行技術文献】
【非特許文献】
【０００４】
【非特許文献１】ＴＥＡＭ  Ｄ  倉敷LSDランナー  第１２号２００９年７月  もっと長くゆっくり走ってみよう
【発明の概要】
【発明が解決しようとする課題】
【０００５】
そのランナーがランニング中に携帯する給水ボトルの中の液体がランニング中に激しく波打ち、ジャバジャバと音を立て、ランナーは波打ちによる不快振動を感じてしまい、その不快振動を受け続けながらロングラントレーニングを行うと、ランナーは終盤に大きな肉体的、精神的ダメージを蓄積してしまい、その軽減が必要である。
【課題を解決するための手段】
【０００６】
その不快振動を軽減又は解消するのに、縦と横の仕切りを結合させた、間仕切りのある円柱型セパレーターを給水ボトル内部へ装着する。
【発明の効果】
【０００７】
結果、その円柱型セパレーターを装着した携帯給水ボトルをランニング中に使用すると、液体の液面のある間仕切りの中だけで液面は小さく波打つので不快振動を大幅に軽減できる。
【図面の簡単な説明】
【０００８】
【図１】図１はセパレーター本体の見取り図である。
【発明を実施するための形態】
【０００９】
その効果的な本体を形作るためには、図１符号１の縦仕切り板を図１符号４の本体軸を中心に放射状に設けて縦に仕切り、図１符号４の本体軸に対して垂直にも図１符号２のような横仕切り板を縦仕切り板と結合するよう数段にわたって設けることによって小さな間仕切りをつくる。
【００１０】
その横仕切り板は図１の様に本体軸を中心とした円型を形作るように、各縦仕切りへ同じ高さでそれぞれ配置結合し、横仕切り板の外側に図１符号５のアールをつけることによってセパレーター本体が円柱を形成するようになり、給水ボトルへ装着した際には、横仕切り板の外側アール部分が給水ボトル内壁との密着性を高める。
【００１１】
また、縦仕切り板と横仕切り板の枚数は運動強度が高い場合には多く、運動強度の低い場合は少なく設定され、その間仕切りされた各壁へは給水時に効率よく液体を流れ出させるため、図１符号３の穴を設けた。
【００１２】
そして、本体軸と縦仕切り板と横仕切り板は折り曲げて給水ボトルへ挿入しても復元性が必要なことと、使用後は取り出して洗浄することで再利用が可能とし、飲み物を入れることから人体に無害で柔軟性のあるシリコンなどで構成される。
【符号の説明】
【００１３】
１    縦方向の仕切り板
２    横方向の仕切り板
３    液体の通り道である穴
４    本体軸
５    横仕切り板外側アール
【図１】
2012148803.tif 000003
(57)【要約】      （修正有）【課題】従来のポチ袋は、美しい絵柄を施してはいるが、お年玉を入れる封筒の役目に限定されている。ただ美しい絵柄を楽しむだけでなく、更に子供が楽しく遊ぶことのできる機能を附与したポチ袋を提供する。【解決手段】お年玉を貰った子供が美しい絵柄のポチ袋を手にして楽しんだ後、更にぬり絵をして遊び、もう一回楽しんで貰うのを目的としたものであり、折りたたむと封筒状になるポチ袋に、ぬり絵が出来るように線画３を施した構造のものである。【選択図】図１
2012148548.tif 000002
【特許請求の範囲】
【請求項１】
（イ）  折りたたむと封筒状になるポチ袋の蓋を延長した部分（１）、若しくは糊しろにあたる部分を、ポチ袋とほぼ同じ面積に延長して設ける（２）。（ロ）  ぬり絵が出来るように、蓋を延長した部分（１）、若しくは糊しろ片を延長した部分（２）に線画（３）を施す。（イ）、（ロ）からなるポチ袋。
【発明の詳細な説明】
【発明の詳細な説明】
【技術分野】
【０００１】  本発明は折りたたむと封筒状になるポチ袋に関する。
【従来の技術分野】
【０００２】  従来のポチ袋は、表面に美しい絵柄を印刷しているだけで、お年玉を入れる役目に限定されている。
【発明が解決しようとする課題】
【０００３】  ただ美しい絵柄の袋を楽しむだけでなく、更に子供が楽しく遊べる機能を附与しようとするものである。
【課題を解決するための手段】
【０００４】（イ）  折りたたむと封筒状になるポチ袋の蓋を延長した部分（１）、若しくは糊しろにあたる部分を、ポチ袋とほぼ同じ面積に延長した部分（２）を設ける。（ロ）  ぬり絵が出来るように、蓋を延長した部分（１）、若しくは糊しろ片を延長した部分（２）に線画（３）を施す。
【発明実施の形態】
【０００５】  ポチ袋の蓋を延長した部分（１）、若しくは多色刷りの絵柄の表面に隣接して設けられた部分（２）の線画（３）を、色鉛筆などで塗って同じ絵柄に仕上げながら楽しむ事が出来る。
【実施例】
【０００６】  子供達は、美しいポチ袋でお年玉を頂いた喜びの上、更にぬり絵を夢中になって仕上げる、二重・三重の喜びを感じている。
【発明の効果】
【０００７】  ぬり絵を仕上げる事によって、絵柄に一層愛着を持って喜ぶ様は、想像以上のものである。
【図面の簡単な説明】
【０００８】
【図１】折りたたむポチ袋を表から見た展開図
【図２】折りたたんだ状態のポチ袋の平面図
【図１】
2012148548.tif 000003
【図２】
2012148548.tif 000004
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
（イ）  折りたたむと封筒状になるポチ袋の蓋を延長した部分（１）、若しくは糊しろにあたる部分を、ポチ袋とほぼ同じ面積に延長して設ける（２）。（ロ）  ぬり絵が出来るように、蓋を延長した部分（１）、若しくは糊しろ片を延長した部分（２）に線画（３）を施す。
【請求項２】
（ハ）メッセージが書けるように、蓋を延長した部分（１）若しくは、糊しろ片を延長した部分（２）に、メッセージカード（４）の印刷を施す。  （イ）（ロ）からなるポチ袋。若しくは、ぬり絵の線画（３）紙片を内蔵することを目的としたポチ袋。（イ）（ハ）からなるポチ袋。若しくは、メッセージカード（４）紙片を内蔵することを目的としたポチ袋。
【手続補正３】
【補正対象書類名】明細書
【補正対象項目名】０００５
【補正方法】変更
【補正の内容】
【０００５】  ポチ袋の蓋を延長した部分（１）、若しくは多色刷りの絵柄の表面に隣接して設けられた部分（２）の線画（３）を、色鉛筆などで塗って同じ絵柄に仕上げながら楽しむ事が出来る。亦、メッセージを書いてお年玉を贈ると、お年玉を貰う喜びと同時に贈る人の心を強く感受して、大きな励みになる。
【手続補正４】
【補正対象書類名】明細書
【補正対象項目名】０００８
【補正方法】変更
【補正の内容】
【０００８】
【図１】折りたたむポチ袋を表から見た展開図
【図２】折りたたんだ状態のポチ袋の平面図
【図３】メッセージカードを施した、折りたたむポチ袋を表から見た展開図。
【手続補正５】
【補正対象書類名】図面
【補正対象項目名】図３
【補正方法】追加
【補正の内容】
【図３】
2012148548.tif 000005
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
（イ）  折りたたむと封筒状になるポチ袋の蓋、若しくは蓋の下の紙片、若しくは封筒の糊しろ片にあたる部分を、延長して設ける。
（ロ）  ぬり絵が出来るように、蓋を延長した部分（１）、若しくは蓋の下の紙片を延長した部分（５）、若しくは糊しろ片を延長した部分（２）に、線画（３）を施す。
（イ）（ロ）からなるポチ袋。
【請求項２】
（ハ）  メッセージが書けるように、蓋を延長した部分（１）、若しくは蓋の下の紙片を延長した部分（５）、若しくは糊しろ片を延長した部分（２）に、メッセージカード（４）の印刷を施す。
（イ）（ハ）からなるポチ袋。
(57)【要約】【課題】文庫本や新書判等の小型の本が常に美しい状態を保つとともに、持ち歩くのに便利で格好の良い小袋（ポ−チ）を実現すること。【解決手段】ファスナ−付きのポ−チの内部に本の表紙を収納するためのポケットを左右それぞれに設けたもの。【選択図】図１
2012148547.tif 000002
【特許請求の範囲】
【請求項１】
布地、皮革、ビニル等の柔軟性に富む素材を四辺形に裁断し、周囲にファスナ−を取り付け、さらに本の表紙を挿入するためのポケットを左右それぞれに形成しことを特徴とする本収納ポ−チ。
【発明の詳細な説明】
【技術分野】
【０００１】本発明は、文庫本や新書判等の小型の本を小袋に収納することによって汚れから完全に保護して常に美しい本を確保するとともに、読みたい本を持ち歩くのに便利で格好の良い本収納ポ−チに関するものである。
【背景技術】
【０００２】従来、本を汚れから保護するにはブックカバ−が用いられてきたが、机上で読書する限りに於ては美しく保たれるが、外出するために鞄やハンドバッグ等に収納並びに取り出しを繰り返すうちに、本の小口や天、地等が損傷する欠点があった。
【発明の概要】
【発明が解決しょうとする課題】
【０００３】前項にて述べたような欠点を除去して常に本を美しく保つとともに、読みたい本を持ち歩くのに便利で格好の良いものを実現することを目的とするものである。
【課題を解決するための手段】
【０００４】課題を解決するためには、本全体をファスナ−付き小袋（ポ−チ）に収納することが適当と考えられる。
【０００５】本を読む時には、袋を開いて読むわけであるが、この袋の内部に本の表紙を挿入するためのポケットを設けることによって本と袋とを一体化させることができ、本を袋から取り出すことなく読書できるので便利である。
【発明の効果】
【０００６】本はファスナ−で密閉された袋に収納されているので汚れることなく美しい本のままである。鞄やハンドバッグ等に、他の物品と一緒に詰め込んでも損傷することなく、又、ストラップ付きのポ−チを持ち歩いて読書を楽しむこともできる。
【０００７】もちろん従来のブックカバ−を装着する必要もなく、メモや筆記具も収納でき、シンプルな構造であるが便利な製品を提供できる。
【図面の簡単な説明】
【０００８】
【図１】本発明の実施形態を示す平面図
【図２】本発明の実施形態の使用状況を示す斜視図
【図３】本発明の実施形態のポケットの形状の平面図
【図４】本発明の外観を示す斜視図
【発明を実施するための形態】
【０００９】図１に示すように、布地、皮革、ビニル等の柔軟性に富む素材（１）を四辺形に裁断して周辺にファスナ−（２）を取り付けて小袋（ポ−チ）を形成する。
【００１０】次に、図２に示すように、この四辺形の左右に本の表紙（６）を挿入するためのポケット（３）をそれぞれ設け、さらにその上にペ−ジ押さえ片（４）を設ける。このペ−ジ押さえ片（４）は、ペ−ジのめくれを防止するもので、透明フィルムを使用することによって文字が隠蔽されないので読むことができる。
【００１１】なお、ポケット（３）の形状は図３に示すように上部を開口すれば表紙（６）の挿入が容易となる。
【符号の説明】
【００１２】１  素材
２  ファスナ−
３  ポケット
４  ペ−ジ押さえ片
５  ファスナ−開閉取っ手
６  表紙
７  ペ−ジ
８  ストラップ
【図１】
2012148547.tif 000003
【図２】
2012148547.tif 000004
【図３】
2012148547.tif 000005
【図４】
2012148547.tif 000006
(57)【要約】      （修正有）【課題】タイヤチェーン取り付け補助装置を磁石で装着できない非鉄製（アルミ製）タイヤホイールを装着している大型トラックやバス等で使用出来るタイヤチェーン取り付け補助装置を提供する。【解決手段】タイヤにタイヤチェーン取り付け補助装置ｂを取りつけ、タイヤチェーンａ端部をタイヤチェーン取り付け補助装置ｂに取り付ける。タイヤを回転することによりタイヤチェーンａをタイヤに巻きつける。タイヤチェーンａが巻きついたらタイヤチェーン取り付け補助装置ｂを外しタイヤチェーン両端部をロックしタイヤチェーンの装着を完了する。【選択図】図１
2012148755.tif 000002
【特許請求の範囲】
【請求項１】
タイヤに直接装置を取り付けることにより、車両が自走して装置に繋がっているタイヤチェーンを自動的に引っ張りタイヤに覆いかぶせるやり方を特徴とするタイヤチェーン装着補助装置。
【発明の詳細な説明】
【技術分野】
【０００１】本発明は車両が自走することによりタイヤチェーンをマグネット装着版補助装置に接続することにより自動的に巻き上げ、タイヤチェーンの装着時の時間短縮と疲労を軽減する目的で開発された装置に関するものである。
【背景技術】
【０００２】タイヤチェーンの装着における作業においては大型タイヤを使用している。除雪用の重機ともなればチェーンの重さが１５０Ｋｇにまで及びそのチェーンを持ち上げてタイヤに巻きつける作業は大変である。ましてや深夜の吹雪いている場面で多く作業するのであるが、過酷な作業と言わざるを得ない。タイヤチェーンの作業でもう一つ大変な作業が大型トラックや大型バスにダブルタイヤの装着が問題となっている。そのダブルタイヤにダブルチェーンを装着する運転手は少なく違法と分かっていてもシングルタイヤにしかチェーンを装着しない。そのシングルチェーンでも装着するのが面倒臭いと大型車のスタットレスタイヤだからチェーンを装着しなくても大丈夫と考えている人が多い。【０００３】このタイヤチェーンを装着するのには装着しようとする大型タイヤの一番上（最上部）まで人の力で持ち上げなければならない。１５０Ｋｇ程度の持ちにくいタイヤチェーンを１，５ｍ以上の高さまで持ち上げるには一人では到底無理な作業である。この作業に要する人員は通常２〜３名程度で行っている。大型車のダブルタイヤのチェーン装着は手の届きにくいタイヤハウスの内側にて装着する為本当にやりづらい作業である。
【発明の概要】
【発明が解決しようとする課題】
【０００４】解決しようとしている問題点は、如何にタイヤチェーンの装着作業が安全に確実に尚且つ短時間で装着できて最後は絶対に外れない装着が望まれる。このタイヤチェーンの装着装置を軽量化することも重要で、この装置を使用してチェーンの装着作業者の時間短縮や疲労軽減が出来るかが課題である
【課題を解決するための手段】
【０００５】冬季間における除雪作業時に日常的に起こるタイヤチェーンのクロス部の破断に伴うタイヤチェーンの交換作業がその場で行われている。本発明はその夜間や劣悪な環境の中で作業を強いられる作業員へ誰が使用しても安全な作業を確実なものとする。大型トラックや大型バスでは積雪のある峠にさし掛かるとタイヤチェーンを装着しなければならず、人命を守り道路をスムーズに通行する為の運転手の責務である。その為にタイヤチェーンを自走するタイヤに自動的に巻きつけられる装置を装着してタイヤチェーンの装着を瞬時に行える装着装置を取り付けるがタイヤチェーンの装着には有効な手段であると考える。
【発明の効果】
【０００６】本発明のタイヤチェーンマグネット装着装置を使用することにより、装着装置の軽量化で作業者の作業環境を改善することが出来ると同時に作業性が向上することにより作業時間の短縮が図れて疲労軽減につながる。作業が楽になるという安心感からタイヤチェーンの装着を苦にせず、雪の降り始めに躊躇することなくタイヤチェーンの装着が誰でも簡単に出来ることから安全な運行が可能になる。
【図面の簡単な説明】
【０００７】
【図１】図１は本発明品の実施例図であって本発明品の装着作業を説明している図である。
【発明を実施するための形態】
【０００８】本発明において使用する装置は、作業性を顧慮して作業員が簡単に装着できなければならない。深夜の作業ともなれば、雪や氷が装置に付着して作業に支障が出る可能性もある。したがって複雑な形状や操作方法ではむしろ作業時間のロスにつながる。
【０００９】本発明品のタイヤチェーン装着装置は最後まで一貫して自動装着すると大変複雑で大掛かりになるため、タイヤに巻きつけるために自走式のタイヤに巻きつけ一週した時点で装着装置を取り外しタイヤチェーンを作業者が最後のロックを行いタイヤチェーンの装着を完了する。（最後は作業者の安全確認を目視で行う必要があるため。）
【実施例１】
【００１０】本発明品の実施例について説明する。【００１１】先ず外れた状態のタイヤチェーンを図１のようにａタイヤの回転する方向の任意の位置にスタンバイしてｂ装置のフックとｃタイヤチェーンの両端を接続する。接続終了後装置の位置を確定してタイヤに装置を固定する。次にタイヤチェーンと繋がった装置がタイヤの回転により引きずりながら移動する。タイヤチェーンの装着可能な位置まで移動をしたらその場で自走しているタイヤを停止して装置を取り外す。後は通常通りのタイヤチェーンの装着作業となる。その際装着可能な位置を特定するために夜間でも確認可能な照明をｄ取り付け運転手の視界から確認できるようにして装置の位置が常に把握出来るようにする。
【産業上の利用可能性】
【００１２】本発明は大型タイヤのチェーンを装着補助するためだけではなく、ダブルタイヤのタイヤチェーンを装着する補助装置としても有効である。現在大型トラックやバスのダブルタイヤには必ずダブルチェーンを装着しなければならないが、内側のタイヤチェーンを装着する作業はかなり奥まった場所で手の届かない作業が強いられる。そのために面倒だと理由からダブルタイヤのチェーンを使用しないでシングルチェーンを使用しているドライバーが多いという事実がある。そこで法令順守（道路交通法第７１条の細則）と安全対策及び作業時間の短縮からこのタイヤチェーンの装着補助装置が有効であると考えられる。【００１３】本発明品は大型タイヤのタイヤチェーンの装着補助のみではなく普通自動車等のタイヤチェーンを装着する時にもこの装置が取り付け時間の短縮等の目的で大変有効であると考えられる。
【符号の説明】
【００１４】ａ  タイヤチェーン
ｂ  タイヤチェーン装着補助装置
ｃ  タイヤチェーン装着補助装置連結フック
ｄ  タイヤチェーン装着補助装置用照明
【図１】
2012148755.tif 000003
(57)【要約】      （修正有）【課題】自転車において、特に小口径の車輪をつけたものは、かさばらないため普及しているが、走行において、段差や窪みにおいて、相当な衝撃があり、事故も起こっている。【解決手段】自転車の走行時に段差や窪みの衝撃を緩和するためと段差の乗り上げ効果を上げるべく、前輪１の前に地上より５センチ程度の高さで前輪１と接触しない前部に，緩衝用の車輪２を取り付けた。【選択図】図２
2012148756.tif 000002
【特許請求の範囲】
【請求項１】
自転車の前輪（１）の前上部に、緩衝輪（２）を取り付けたもの。
【発明の詳細な説明】
【技術分野】
【０００１】  この発明は、前輪の前上部に緩衝輪をつけた自転車である。
【背景技術】
【０００２】  従来、前輪の前上部にバンパーなどの緩衝材をつけた自転車があった。
【発明の概要】
【発明が解決しようとする課題】
【０００３】  自転車において、特に小口径の車輪をつけたものは、かさばらないため普及しているが、走行において、段差や窪みにおいて、相当な衝撃があり、事故も起こっている。  前輪の前上部に緩衝用の車輪を設けることにより  段差や窪みでの接地面の増加により、衝撃を緩和させることを目的とするものである。  前輪の前にバンパーをつけたものもあるが、急坂などの乗り上げ効果が弱い傾向があった。本発明の緩衝輪は乗り上げ効果を上げることができるものである。
【課題を解決するための手段】
【０００４】    前輪の前に地上より５センチ程度の高さで前輪と接触しない前部に，緩衝用の車輪を取り付けたものである。
【発明の効果】
【０００５】  段差や窪みを走行時に受ける衝撃を緩和する効果がある。  それと従来の緩衝材では段差の乗り上げ効果が弱い。  緩衝輪は乗り上げ効果を上げる働きがある。        それと同時に平坦地を走行時には、緩衝輪は接地せず、前輪と後輪のみが地上に設置するため、走行性能は通常の二輪自転車とほとんど変わりない。
【図面の簡単な説明】
【０００６】
【図１】  本発明の正面図である。
【図２】  本発明の斜視図である。
【発明を実施するための形態】
【０００７】    以下、本発明を実施するための形態について説明する。    １の前輪の前上部に位置するように、２の緩衝輪を前輪と接触しないように取り付けてある。  ３の泥よけは図のように前輪の後部の上にとりつける。泥よけ効果と石ころなどが入り前輪と緩衝輪に食い込みにくいようにするためである。
【符号の説明】
【０００８】１    前輪
２    緩衝輪
３    泥よけ
【図１】
2012148756.tif 000003
【図２】
2012148756.tif 000004